(57)【特許請求の範囲】
【請求項１】
車両に搭載され、エンジン回転数センサから得られるエンジン回転数を所定の回転数幅でクラス分けし、各クラス毎の回転数の発生頻度で示したヒストグラム形式で表示する回転数表示装置において、
前記エンジンの始動直後から一定期間では、前記各クラス毎のエンジン回転数の発生頻度を前記一定期間内に予定されるエンジン回転数データの総数に対する比率で表示させ、一定期間が経過した時点で、各クラス毎の発生頻度を全て合計した値が１００％となるようなヒストグラム形式の表示に移行させる制御手段を具備することを特徴とする回転数表示装置。
【発明の詳細な説明】
【０００１】
【発明の属する技術分野】
本発明は、車両に設けられたエンジンの回転数をヒストグラム形式で表示する回転数表示装置に係わり、特にエンジン始動直後などのアイドリング状態でも、違和感なくエンジンの回転数を表示させる回転数表示装置に関する。
【０００２】
【従来の技術】
車両に設けられる回転数表示装置としては、従来、図６に示すものが知られている。
【０００３】
この図に示す回転数表示装置１０１は、エンジン回転数センサ（図示は省略する）から出力されるエンジン回転数信号を取り込んで、回転数データに変換するＩ／Ｏ回路（入出力回路）１０２と、運転席などに設けられ、運転者などによって操作された内容に応じた表示要求データを発生するスイッチ回路１０３と、マイクロプロセッサなどを有し、Ｉ／Ｏ回路１０２から出力される回転数データを処理して、エンジン回転数をヒストグラム表示するのに必要な表示データを作成するＣＰＵ回路１０４と、このＣＰＵ回路１０４から出力される表示データを取り込んで、エンジン回転数のヒストグラム画面を表示する液晶表示器１０５と、ＣＰＵ回路１０４の動作を規定するプログラム、各種の定数データなどを記憶しているＲＯＭ回路１０６と、ＣＰＵ回路１０４の作業エリアなどとして使用されるＲＡＭ回路１０７とを備えている。
【０００４】
そして、エンジン回転数センサから出力されるエンジン回転数信号をカウントして回転数データを生成しながら、この回転数データを処理して、エンジン回転数をヒストグラム表示するのに必要な表示データを生成するとともに、スイッチ回路１０３から出力される表示要求データに基づき、液晶表示器１０５に図７や図８に示すような、エンジンの回転数を示すヒストグラム画面１０６を表示する。
【０００５】
【発明が解決しようとする課題】
ところで、このような従来の回転数表示装置１０１においては、所定範囲毎の回転数の発生頻度を全て合計した値が１００％となるように、エンジンの回転数をヒストグラム形式で表示するようにしている。このため、通常の走行状態にあるときには、図７に示すような見易い形式でエンジンの回転数を表示することができる。
【０００６】
しかしながら、エンジンを始動させた直後においては、エンジンの回転数は、ある範囲（アイドリング回転数付近）に偏っているために、その発生頻度を示す度数バーの長さもある範囲の回転数だけが１００％近くになり、エンジンを始動させた直後にもかかわらず、エンジンの回転数が高いものと錯覚させたり、違和感を感じさせたりするという問題があった。
【０００７】
本発明は上記の事情に鑑み、エンジンを始動させた直後などにおけるエンジン回転数のヒストグラム表示の際に、運転者に錯覚や違和感などを与えることを防止でき、エンジンを始動させてから一定期間が経過するまで、ほぼ０％から１００％まで、滑らかにパーセント値を増大させることができる回転数表示装置を提供することを目的としている。
【０００８】
【課題を解決するための手段】
上記の目的を達成するために本発明は、車両に搭載され、エンジン回転数センサから得られるエンジン回転数を所定の回転数幅でクラス分けし、各クラス毎の回転数の発生頻度で示したヒストグラム形式で表示する回転数表示装置において、前記エンジンの始動直後から一定期間では、前記各クラス毎のエンジン回転数の発生頻度を前記一定期間内に予定されるエンジン回転数データの総数に対する比率で表示させ、一定期間が経過した時点で、各クラス毎の発生頻度を全て合計した値が１００％となるようなヒストグラム形式の表示に移行させる制御手段を具備することを特徴としている。
【０００９】
上記の構成によれば、エンジンを始動させた直後などにおけるエンジン回転数のヒストグラム表示の際に、運転者に錯覚や違和感などを与えることを防止でき、エンジンを始動させてから一定期間が経過するまで、ほぼ０％から１００％まで、滑らかにパーセント値を増大させることができる。
【００１０】
【発明の実施の形態】
図１は本発明による回転数表示装置の実施の形態を示すブロック図である。
【００１１】
この図に示す回転数表示装置１は、運転席などに配置され、運転者などによって操作されるリモコン装置２と、車両３側から供給される“＋２４Ｖ”のバッテリー電圧、“＋２４Ｖ”の発電機電圧、“０Ｖ”のグランド電圧を使用して、車両３側の速度センサ（図示は省略する）から出力される速度信号、エンジン回転数センサ（図示は省略する）から出力されるエンジン回転数信号を取り込んで、現在速度データ、平均速度データ、エンジン回転数の所定範囲（クラス）毎の発生頻度をヒストグラム表示するヒストグラムデータなどを生成するとともに、リモコン装置２から出力される表示要求信号に基づき、現在速度データ、平均速度データ、ヒストグラムデータなどから表示信号を生成するコントロールユニット４と、このコントロールユニット４から出力される表示信号を取り込んで、速度表示画面、ヒストグラム画面などを表示するＴＶモニタ装置５とを備えている。
【００１２】
そして、速度センサから出力される速度信号と、エンジン回転数センサから出力されるエンジン回転数信号とを変換して速度データ、エンジン回転数データを生成しながら、これら速度データ、エンジン回転数データを処理して、現ら表示信号を生成し、ＴＶモニタ装置５上にトリップメータ画面、スピードメータ画面、ヒストグラム画面などを表示する。
【００１３】
コントロールユニット４は、車両３側に設けられた速度センサから出力される速度信号を取り込んで、速度データに変換するとともに、車両３側に設けられた回転数センサから出力されるエンジン回転数信号を取り込んでエンジン回転数データに変換し、さらにリモコン装置２から出力される表示要求信号を取り込んで表示要求データに変換するインタフェース回路８と、マイクロプロセッサなどを有し、インタフェース回路８から出力される速度データ、エンジン回転数データを処理して、現在速度データ、平均速度データ、ヒストグラムデータなどを生成するとともに、インタフェース回路８から出力される表示要求データに基づき、現在速度データ、平均速度データ、ヒストグラムデータなどから表示データを生成するＣＰＵ回路９と、このＣＰＵ回路９から出力される表示データを取り込んで、ＴＶモニタ装置５用の表示信号を生成し、これをＴＶモニタ装置５に供給する映像信号生成回路１０と、ＣＰＵ回路９の動作を規定するプログラム、各種の定数データなどを記憶しているＲＯＭ回路１１と、ＣＰＵ回路９の作業エリアなどとして使用されるＲＡＭ回路１２とを備えている。
【００１４】
そして、速度センサから出力される速度信号と、エンジン回転数センサから出力されるエンジン回転数信号とを変換して速度データ、エンジン回転数データを生成しながら、これら速度データ、エンジン回転数データを処理して、現在速度データ、平均速度データ、ヒストグラムデータなどを生成するとともに、リモコン装置２から出力される表示要求信号を変換して得られた表示要求データに基づき、現在速度データ、平均速度データ、ヒストグラムデータなどから表示信号を生成し、ＴＶモニタ装置５上に、トリップメータ画面、スピードメータ画面、ヒストグラム画面などを選択的に表示する。
【００１５】
次に、図２に示すフローチャートを参照しながら、この実施の形態のヒストグラム作成動作、ヒストグラム画面表示動作について説明する。
【００１６】
まず、車両３のエンジンが始動されると、ＣＰＵ回路９によってヒストグラム画面を表示するのに必要な分布数値データＴＣ（ｎ）が初期化されて、ゼロにされるとともに（ステップＳＴ１）、最初の１秒で、エンジン回転数センサから出力されるエンジン回転数信号が取り込まれて、エンジン回転数データが生成されるとともに、これが３６００個分（１時間分の回転数データに相当）設けられている格納エリアの先頭番地（第１番地）に記憶される（ステップＳＴ２）。
【００１７】
この後、ＣＰＵ回路９によって前記格納エリアの先頭番地に記憶されている１つ目のエンジン回転数データが読み出されて、図３に示す表１３に基づき、前記エンジン回転数データを表示する際の色が決定される。この決定結果に基づき、分布数値データＴＣ（ｎ）の値が決定されるとともに（ステップＳＴ３）、次式に基づき、このエンジン回転数データの値を表示する際のパーセント値を示す回転数利用率が計算される（ステップＳＴ４）。
【００１８】
【数１】
回転数利用率＝（エンジン始動後の回転数データの数／所定期間内に取り込む回転数データの数）×１００…（１）
次いで、ＣＰＵ回路９によって、この回転数利用率と、前記格納エリアの先頭番地に記憶されている１つ目のエンジン回転数データとに基づき、１つ目のエンジン回転数データをヒストグラム表示する際の度数バーの長さが計算され、ＴＶモニタ装置５上に、エンジンの回転数を表示するヒストグラム画面が表示される（ステップＳＴ５）。
【００１９】
この際、エンジンが始動された直後における１つ目のエンジン回転数データであれば、回転数利用率の値が（１／３６００）×１００［％］となって、ヒストグラム画面に表示される度数バーの長さが短く表示される。
【００２０】
そして、次の１秒で、エンジン回転数センサから出力されるエンジン回転数信号が取り込まれて、エンジン回転数データが生成されるとともに、これが３６００個分、設けられている格納エリアの第２番地に記憶される（ステップＳＴ６、ＳＴ２）。
【００２１】
この後、ＣＰＵ回路９によって前記格納エリアの第２番地に記憶されている２つ目のエンジン回転数データが読み出されて、図３に示す表１３に基づき、前記エンジン回転数データを表示する際の色が決定される。この決定結果に基づき、分布数値データＴＣ（ｎ）の値が決定されるとともに（ステップＳＴ３）、前記（１）式に基づき、このエンジン回転数データの値を表示する際のパーセント値を示す回転数利用率が計算される（ステップＳＴ４）。
【００２２】
次いで、ＣＰＵ回路９によって、前記格納エリアの第１番地に記憶されている１つ目のエンジン回転数データおよびこのエンジン回転数データに対応する回転数利用率と、前記格納エリアの第２番地に記憶されている２つ目のエンジン回転数データおよびこのエンジン回転数データに対応する回転数利用率とに基づき、１つ目のエンジン回転数データ、２つ目のエンジン回転数データをヒストグラム表示する際の各度数バーの長さが計算され、ＴＶモニタ装置５上に、エンジンの回転数を表示するヒストグラム画面が表示される（ステップＳＴ５）。
【００２３】
この際、エンジンが始動された直後における２つ目のエンジン回転数データであれば、回転数利用率の値が（２／３６００）×１００［％］となって、図４に示すように、ヒストグラム画面１４に表示される度数バー１５の長さと、最初の度数バー１５とがほぼ同じ長さで表示される。
【００２４】
以下、リモコン装置２が操作されて、回転数積算計のリセット指示が入力されるまで、上述したヒストグラム作成動作、ヒストグラム画面表示動作が繰り返し行われ、３６００個目のエンジン回転数データを取り込んだ時点で、回転数利用率が１００％になり、図５に示すように、通常のヒストグラム形式、すなわち、各クラス毎の発生頻度を全て合計した値が１００％となるようなヒストグラム形式でエンジンの回転数の表示が開始される（ステップＳＴ１〜ＳＴ６）。
【００２５】
このようにこの実施の形態においては、エンジンを始動させた直後から一定期間の間、所定範囲毎のエンジン回転数の発生頻度をエンジン回転数の所定時間当たりの総データ数に対する比率で表示した小さな値にし、一定期間が経過した時点で、エンジン回転数の所定範囲毎の発生頻度を通常の１００％表示に移行するようにしているので、エンジンを始動させた直後において、エンジンの回転数を示す度数バー１５を小さくすることができ、これによってエンジンを始動させた直後などに、感違いや違和感などを感じさせないようにすることができる。
【００２６】
また、この実施の形態では、前記エンジンを始動させた時点から所定期間が経過するまで、前記エンジンの回転数をヒストグラム形式で表示する際、前記（１）式に示す演算を行なって、パーセント数を決定し、取り込んだ回転データ数１００％以下で表示するようにしているので、取り込んだ回転数データの数と、エンジンを始動させてから一定期間内に取り込む回転数データの総数との比に応じて度数バーの長さを決定する際のパーセントを決定することができ、これによってエンジンを始動させてから一定期間が経過するまで、ほぼ０％から１００％まで、滑らかにパーセント値を増大させることができる。
【００２７】
【発明の効果】
以上説明したように本発明によれば、エンジンを始動させた直後などにおけるエンジン回転数のヒストグラム表示の際に、運転者に錯覚や違和感などを与えることを防止でき、エンジンを始動させてから一定期間が経過するまで、ほぼ０％から１００％まで、滑らかにパーセント値を増大させることができる。
【図面の簡単な説明】
【図１】本発明による回転数表示装置の実施の形態を示すブロック図である。
【図２】図１に示す回転数表示装置の動作例を示すフローチャートである。
【図３】図１に示すＣＰＵ回路で使用される分布数値データ例を示す表である。
【図４】図１に示す回転数表示装置で表示されるエンジン始動直後のヒストグラム画面例を示す模式図である。
【図５】図１に示す回転数表示装置で表示される通常のヒストグラム画面例を示す模式図である。
【図６】従来から知られている回転数表示装置の一例を示すブロック図である。
【図７】図６に示す回転数表示装置で表示される通常のヒストグラム画面例を示す模式図である。
【図８】図６に示す回転数表示装置で表示されるエンジン始動直後のヒストグラム画面例を示す模式図である。
【符号の説明】
１：回転数表示装置
２：リモコン装置
３：車両
４：コントロールユニット
５：ＴＶモニタ装置
８：インタフェース回路
９：ＣＰＵ回路
１０：映像信号生成回路
１１：ＲＯＭ回路
１２：ＲＡＭ回路
１３：表
１４：ヒストグラム画面
１５：度数バー
【図１】
0003602947.tif 000002
【図２】
0003602947.tif 000003
【図３】
0003602947.tif 000004
【図４】
0003602947.tif 000005
【図５】
0003602947.tif 000006
【図６】
0003602947.tif 000007
【図７】
0003602947.tif 000008
【図８】
0003602947.tif 000009